(57)【要約】【課題】たとえば洗剤やスポンジを取り出し易くて戻し易く且つシンク周りの作業を実質的に妨げることのないポケット収納部を備えたシステムキッチン。【解決手段】シンク（３）とその後方に設けられたバックガード（４）とを備えたシステムキッチン。シンクとバックガードとの間において前後方向に沿って往復移動可能に構成されて、洗剤やスポンジを収納するためのポケット収納部を有する。バックガードの上端にはカウンタ（５）が設けられ、ポケット収納部は、カウンタの下側面に取り付けられたレール部材と、そのレール部材と着脱自在に係合する収納部本体とを有する。【選択図】  図１
2004298379.tif 000002
【特許請求の範囲】
【請求項１】
シンクと該シンクの後方に設けられたバックガードとを備えたシステムキッチンにおいて、
前記シンクと前記バックガードとの間において前後方向に沿って往復移動可能に構成されて、洗剤やスポンジを収納するためのポケット収納部を有することを特徴とするシステムキッチン。
【請求項２】
前記バックガードの上端にはカウンタが設けられ、
前記ポケット収納部は、前記カウンタの下側面に取り付けられたレール部材と、該レール部材と着脱自在に係合する収納部本体とを有することを特徴とする請求項１に記載のシステムキッチン。
【請求項３】
前記レール部材は、間隔を隔てて前後方向に延びる一対のレールを有することを特徴とする請求項２に記載のシステムキッチン。
【発明の詳細な説明】
【０００１】
【発明の属する技術分野】
本発明は、システムキッチンに関し、特にシステムキッチンにおけるシンク周りの収納に関するものである。
【０００２】
【従来の技術】
従来、壁に接することなく設置されるアイランド型のシステムキッチンや、端面だけが壁に接した状態で設置される対面型のシステムキッチンが知られている。これらのタイプのシステムキッチンでは、シンクの後方に設けられたバックガードの上端にカウンタが形成され、洗剤やスポンジを収納するための収納部をシンクとバックガードとの間に取り付ける構成が用いられることがある。
【０００３】
【発明が解決しようとする課題】
上述の従来技術では、この収納部をシンクに近い手前側に取り付けると、洗剤やスポンジを収納部から取り出し易く且つ収納部へ戻し易いが、収納部が邪魔になりシンク周りの作業がしにくくなるという不都合があった。一方、この収納部をバックガードに近い奥側に取り付けると、シンク周りの作業がし易くなるが、洗剤やスポンジを収納部から取り出しにくく且つ収納部へ戻しにくいという不都合があった。
【０００４】
本発明は、前述の課題に鑑みてなされたものであり、たとえば洗剤やスポンジを取り出し易くて戻し易く且つシンク周りの作業を実質的に妨げることのないポケット収納部を備えたシステムキッチンを提供することを目的とする。
【０００５】
【課題を解決するための手段】
前記課題を解決するために、本発明では、シンクと該シンクの後方に設けられたバックガードとを備えたシステムキッチンにおいて、
前記シンクと前記バックガードとの間において前後方向に沿って往復移動可能に構成されて、洗剤やスポンジを収納するためのポケット収納部を有することを特徴とするシステムキッチンを提供する。
【０００６】
本発明の好ましい態様によれば、前記バックガードの上端にはカウンタが設けられ、前記ポケット収納部は、前記カウンタの下側面に取り付けられたレール部材と、該レール部材と着脱自在に係合する収納部本体とを有する。この場合、前記レール部材は、間隔を隔てて前後方向に延びる一対のレールを有することが好ましい。
【０００７】
【発明の実施の形態】
本発明のシステムキッチンは、シンクとその後方に設けられたバックガードとの間に、洗剤やスポンジを収納するためのポケット収納部を有する。そして、このポケット収納部は、前後方向に沿って往復移動可能に構成されている。したがって、洗剤やスポンジの使用に際してポケット収納部を手前側に移動させることにより、洗剤やスポンジをポケット収納部から容易に取り出し且つポケット収納部へ容易に戻すことができる。
【０００８】
また、シンク周りの作業に際してポケット収納部を奥側に移動させることにより、ポケット収納部が邪魔になることなくシンク周りの作業がし易くなる。こうして、本発明では、洗剤やスポンジを取り出し易くて戻し易く且つシンク周りの作業を実質的に妨げることのないポケット収納部を備えたシステムキッチンを実現することができる。
【０００９】
なお、本発明において、ポケット収納部は、バックガードの上端に設けられたカウンタの下側面に取り付けられたレール部材と、このレール部材と着脱自在に係合する収納部本体とを有することが好ましい。この構成により、所望の空間位置においてポケット収納部を前後方向に沿って往復移動可能に構成することができ、しかも汚れ易い収納部本体を適時取り外して清掃することが容易になる。
【００１０】
また、本発明において、上述のレール部材は、間隔を隔てて前後方向に延びる一対のレールを有することが好ましい。この構成により、収納部本体の構成を簡素化することができるとともに、収納部本体を安定的に支持し且つ安定的に往復移動させることができる。
【００１１】
本発明の実施形態を、添付図面に基づいて説明する。
図１は、本発明の実施形態にかかるシステムキッチンの構成を概略的に示す図である。また、図２は、図１（ｂ）の線Ａ−Ａに沿った断面図である。また、図３は、カウンタの下側面に取り付けられた各レールの構成を概略的に示す図であって、（ａ）は縦断面図を、（ｂ）は（ａ）の線Ｂ−Ｂに沿った横断面図を、（ｃ）は（ａ）の線Ｃ−Ｃに沿って見た上面図をそれぞれ示している。
【００１２】
また、図４は、収納部本体の構成を概略的に示す図であって、（ａ）は正面図を示し、（ｂ）は（ａ）の線Ｄ−Ｄに沿った断面図を示している。また、図５は、収納部本体のレール部材への取付けおよびポケット収納部の往復移動を概略的に説明する図である。なお、本実施形態では、アイランド型や対面型のシステムキッチンに本発明を適用している。
【００１３】
図１を参照すると、本実施形態のシステムキッチンは、床の上に載置されたベースキャビネット１を備えている。ベースキャビネット１の上部には、システムキッチンに向かって左側からガスコンロや電気コンロが設けられた加熱調理部２と、シンク３とが設けられている。なお、シンク３に隣接して、たとえば湯水混合型の水栓（不図示）が設けられている。また、シンク３の後方にはバックガード４が設けられ、バックガード４の上端にはカウンタ５が設けられている。
【００１４】
図２に示すように、カウンタ５はバックガード４から前方へ突出している。そして、図２では図示を省略しているが、カウンタ５とバックガード４とにより規定される空間に、洗剤やスポンジなどを収納するためのポケット収納部６が取り付けられる。ポケット収納部６は、後述するように、レール部材７と、このレール部材７と着脱自在に係合する収納部本体８とにより構成されている。
【００１５】
カウンタ５の突出部分の下側面には、間隔を隔てて前後方向に延びる一対のレール７ａおよび７ｂが取り付けられている。すなわち、一対のレール７ａおよび７ｂは、収納部本体８を着脱自在に支持するためのレール部材７を構成している。各レール（７ａ，７ｂ）は、図３に示すように、外側レール部３１とラックスライド部３２とにより構成されている。
【００１６】
外側レール部３１とラックスライド部３２とが形成する内部空間３３は、後述する収納部本体８のスライドピン８ｃが着脱自在に係合し且つ収納部本体８が前後方向に沿って往復移動することができるように構成されている。また、内部空間３３の開口部３３ａの近傍において、ラックスライド部３２の一端がレール内ストッパー３４を構成している。
【００１７】
一方、図４を参照すると、収納部本体８は、（ｂ）に示すような形状の断面を有する本体部８ａと、その両端に設けられた一対のストッパー８ｂと、本体部８ａの上端において間隔を隔てて設けられた一対のスライドピン８ｃとにより構成されている。収納部本体８には、その前方から洗剤やスポンジなどが導入されて収納される。そして、その逆の動作により、洗剤やスポンジなどが収納部本体８から取り出される。
【００１８】
本実施形態では、図５に示すように、収納部本体８の一対のスライドピン８ｃを一対のレール７ａおよび７ｂの開口部３３ａを介して内部空間３３へ導入し、スライドピン８ｃの上端を外側レール部３１に当接させる。次いで、レール内ストッパー３４を越えるまで収納部本体８を僅かに前方へ移動させて、スライドピン８ｃの前端を外側レール部３１に当接させる。さらに、収納部本体８を僅かに下方へ移動させて、スライドピン８ｃをラックスライド部３２に当接させる。
【００１９】
こうして、収納部本体８の一対のスライドピン８ｃが一対のレール７ａおよび７ｂの内部空間３３において前方へ移動可能になり、収納部本体８（ひいてはポケット収納部６）が前後方向に沿って往復移動可能になる。このとき、レール内ストッパー３４の作用により、収納部本体８を前後方向に沿って往復移動させても収納部本体８がレール部材７から外れることはない。同様に、上述の操作を逆に行うことにより、収納部本体８をレール部材７から取り外すこともできる。
【００２０】
以上のように、本実施形態では、シンク３とバックガード４との間にポケット収納部６が前後方向に沿って往復移動可能に設けられている。したがって、洗剤やスポンジの使用に際してポケット収納部６を手前側に移動させることにより、洗剤やスポンジをポケット収納部６から容易に取り出し且つポケット収納部６へ容易に戻すことができる。また、シンク３周りの作業に際してポケット収納部６を奥側に移動させることにより、ポケット収納部６が邪魔になることなくシンク３周りの作業がし易くなる。
【００２１】
また、本実施形態では、ポケット収納部６の収納部本体８がレール部材７と着脱自在に係合しているので、汚れ易い収納部本体８を適時取り外して清掃することができる。また、レール部材７が間隔を隔てて前後方向に延びる一対のレール７ａ，７ｂにより構成されているので、収納部本体８の構成を簡素化することができるとともに、収納部本体８を安定的に支持し且つ安定的に往復移動させることができる。
【００２２】
なお、上述の実施形態では、カウンタの下側面に取り付けられた一対のレールと、この一対のレールと係合する一対のスライドピンを有する収納部本体とによりポケット収納部を構成している。しかしながら、これに限定されることなく、ポケット収納部の具体的な構成については本発明の範囲内において様々な変形例が可能である。
【００２３】
また、上述の実施形態では、アイランド型や対面型のシステムキッチンに本発明を適用している。しかしながら、これに限定されることなく、シンクとその後方に設けられたバックガードとを備えたシステムキッチンに対して本発明を適用することができる。
【００２４】
【発明の効果】
以上説明したように、本発明では、シンクとバックガードとの間に、洗剤やスポンジを収納するためのポケット収納部が、前後方向に沿って往復移動可能に設けられている。その結果、洗剤やスポンジの使用に際してポケット収納部を手前側に移動させることにより、洗剤やスポンジをポケット収納部から容易に取り出し且つポケット収納部へ容易に戻すことができる。
【００２５】
また、シンク周りの作業に際してポケット収納部を奥側に移動させることにより、ポケット収納部が邪魔になることなくシンク周りの作業がし易くなる。こうして、本発明では、洗剤やスポンジを取り出し易くて戻し易く且つシンク周りの作業を実質的に妨げることのないポケット収納部を備えたシステムキッチンを実現することができる。
【００２６】
なお、本発明において、バックガード上端のカウンタの下側面に取り付けられたレール部材と、このレール部材と着脱自在に係合する収納部本体とによりポケット収納部を構成することにより、所望の空間位置においてポケット収納部を前後方向に沿って往復移動可能に構成することができ、しかも汚れ易い収納部本体を適時取り外して清掃することが容易になる。
【００２７】
また、本発明において、間隔を隔てて前後方向に延びる一対のレールによりレール部材を構成することにより、収納部本体の構成を簡素化することができるとともに、収納部本体を安定的に支持し且つ安定的に往復移動させることができる。
【図面の簡単な説明】
【図１】本発明の実施形態にかかるシステムキッチンの構成を概略的に示す図である。
【図２】図１（ｂ）の線Ａ−Ａに沿った断面図である。
【図３】カウンタの下側面に取り付けられた各レールの構成を概略的に示す図であって、（ａ）は縦断面図を、（ｂ）は（ａ）の線Ｂ−Ｂに沿った横断面図を、（ｃ）は（ａ）の線Ｃ−Ｃに沿って見た上面図をそれぞれ示している。
【図４】収納部本体の構成を概略的に示す図であって、（ａ）は正面図を示し、（ｂ）は（ａ）の線Ｄ−Ｄに沿った断面図を示している。
【図５】収納部本体のレール部材への取付けおよびポケット収納部の往復移動を概略的に説明する図である。
【符号の説明】
１  ベースキャビネット
２  加熱調理部
３  シンク
４  バックガード
５  カウンタ
６  ポケット収納部
７  レール部材
８  収納部本体
【図１】
2004298379.tif 000003
【図２】
2004298379.tif 000004
【図３】
2004298379.tif 000005
【図４】
2004298379.tif 000006
【図５】
2004298379.tif 000007